(57)【要約】【課題】動作状態でもＤＣオフセットの誤検出が回避でき、スピーカの発煙や発火等の故障を回避できる、簡素な構成で安価な音響機器を提供する。【解決手段】パワーＡＭＰ１５内部のアナログ信号の電圧値がパワーＡＭＰ１５に設定されたしきい値以上である場合に所定遷移状態のオフセット検出信号を出力する音響機器において、マイコン１２は上記の電圧レベルに基づいてルックアップテーブル１８に対応づけられたしきい値を読み出し、パワーＡＭＰ１５内部で処理しているアナログ信号の電圧値を監視するためのオフセット検出信号を平滑化するＬＰＦ１７から出力されたＬＰＦ出力信号の電圧値と読み出したしきい値とを比較し、ＬＰＦ出力信号がしきい値以上である場合、パワーＡＭＰ１５をスタンバイ状態とするためにスタンバイ処理信号を出力する。尚、ルックアップテーブル１８には電圧レベル毎に設定されたしきい値が格納されている。【選択図】          図２
2004320273.tif 000002
【特許請求の範囲】
【請求項１】
設定されたボリューム値に基づいて調整されたアナログ信号を増幅してスピーカへ入力する増幅器を有する音響機器において、
前記増幅器内部で処理されているバイアス信号の電位差と予め設定されている第１のしきい値とを比較する第１の比較手段と、
前記アナログ信号の電圧レベルを検出するレベル検出手段と、
前記第１の比較手段の比較の結果に基づいて状態が切り換えられたオフセット検出信号を出力するオフセット検出信号出力手段と、
前記オフセット検出信号出力手段から出力された前記オフセット検出信号を平滑化する平滑化手段と、
前記平滑化手段で平滑化された前記オフセット検出信号の電圧値と、前記レベル検出手段で検出された電圧レベル又は前記ボリューム値に予め対応づけられた第２のしきい値とを比較する第２の比較手段と、
前記第２の比較手段の比較の結果、前記平滑化されたオフセット検出信号の電圧値が前記第２のしきい値以上である場合、前記増幅器を停止状態とする増幅器停止手段と
を有することを特徴とする音響機器。
【請求項２】
前記第２のしきい値が前記電圧レベル又は前記ボリューム値の増加につれて減少することを特徴とする請求項１記載の音響機器。
【請求項３】
前記増幅器停止手段は、前記第２の比較手段の比較の結果、前記平滑化されたオフセット検出信号の電圧値が前記第２のしきい値以上である状態が所定時間以上継続した場合、前記増幅器を停止状態とすることを特徴とする請求項１又は２記載の音響機器。
【請求項４】
前記増幅器はパワーアンプであることを特徴とする請求項１から３の何れか１項に記載の音響機器。
【請求項５】
前記平滑化手段はローパスフィルタであることを特徴とする請求項１から４の何れか１項に記載の音響機器。
【請求項６】
前記電圧レベル又は前記ボリューム値と前記第２のしきい値とを対応づけたルックアップテーブルを有し、
前記第２の比較手段は前記電圧レベル又は前記ボリューム値に基づいて前記ルックアップテーブルを参照することで前記第２のしきい値を特定することを特徴とする請求項１から５の何れか１項に記載の音響機器。
【請求項７】
設定されたボリューム値に基づいて調整されたアナログ信号を増幅してスピーカへ入力する増幅器内部で処理しているバイアス信号の電位差と予め設定されている第１のしきい値との比較の結果に基づいて状態を切り換えたオフセット検出信号を出力する増幅器内部におけるオフセット電圧を検出するためのオフセット電圧検出方法において、
前記増幅器に入力されるアナログ信号の電圧レベル又は前記ボリューム値に基づいて所定のルックアップテーブルに対応づけられた第２のしきい値を読み出す第２のしきい値読出ステップと、
所定の時定数で平滑化された前記オフセット検出信号の電圧値と前記第２しきい値読出ステップで読み出した前記第２のしきい値とを比較する比較ステップと、
平滑化された前記オフセット検出信号の電圧値が前記第２のしきい値以上である場合、前記増幅器を停止状態とする増幅器停止ステップと
を有することを特徴とするオフセット電圧検出方法。
【請求項８】
前記増幅器停止ステップは、前記比較ステップの比較の結果、前記平滑化されたオフセット検出信号の電圧値が前記第２のしきい値以上である状態が所定時間以上継続した場合、前記増幅器を停止状態とすることを特徴とする請求項７記載の音響機器。
【請求項９】
前記第２のしきい値が前記電圧レベル又は前記ボリューム値の増加につれて減少することを特徴とする請求項７又は８記載のオフセット検出方法。
【請求項１０】
設定されたボリューム値に基づいて調整されたアナログ信号を増幅してスピーカへ入力する増幅器内部で処理しているバイアス信号の電位差と予め設定されている第１のしきい値との比較の結果に基づいて状態を切り換えたオフセット検出信号を出力する増幅器内部におけるオフセット電圧を検出するためのコンピュータを機能させるためのプログラムであって、
前記増幅器に入力されるアナログ信号の電圧レベル又は前記ボリューム値に基づいて所定のルックアップテーブルに対応づけられた第２のしきい値を読み出す第２のしきい値読出処理と、
所定の時定数で平滑化された前記オフセット検出信号の電圧値と前記第２しきい値読出ステップで読み出した前記第２のしきい値とを比較する比較処理と、
平滑化された前記オフセット検出信号の電圧値が前記第２のしきい値以上である場合、前記増幅器を停止状態とするための命令信号を出力する停止命令信号出力処理と
を前記コンピュータに実行させるためのプログラム。
【請求項１１】
前記停止命令信号出力処理は、前記比較処理の比較の結果、前記平滑化されたオフセット検出信号の電圧値が前記第２のしきい値以上である状態が所定時間以上継続した場合、前記命令信号を出力することを特徴とする請求項１０記載のプログラム。
【請求項１２】
請求項１０又は１１記載の前記プログラムを記録した記録媒体。
【発明の詳細な説明】
【０００１】
【発明の属する技術分野】
本発明は、音響機器、オフセット電圧検出方法、そのプログラム及びそのプログラムを記録した記録媒体に関し、特にスピーカにアナログ信号を入力する増幅器が内部で処理しているアナログ信号の電圧値に基づいてスタンバイ状態へ移行できる音響機器、及びこの増幅器のオフセット電圧検出方法、そのプログラム及びそのプログラムを記録した記録媒体に関する。
【０００２】
【従来の技術】
従来のカセットデッキやＣＤ（コンパクトディスク）デッキ等の音響機器の概略構成を図１に示す。図１に示すように、従来の音響機器は、フロントパネル１１１とマイクロコンピュータ（以下、マイコンという）１１２と読取部１１３と信号処理部１１４と増幅器（以下、パワーＡＭＰという）１１５とスピーカ１１６とを有して構成されている。
【０００３】
このような構成において、パワーＡＭＰ１１５からスピーカ１１６への配線にＤＣオフセットが存在し、スピーカ１１６へ電圧が印加される状態が継続すると、スピーカ１１６が発煙したり発火したりするという問題が存在する。
【０００４】
このような問題を回避するために、従来では、パワーＡＭＰ１１５からの出力をマイコン１１２において監視し、ＤＣオフセットが検出された場合はパワーＡＭＰ１１５をスタンバイ状態とする（以下、この処理をスタンバイ処理という）ように構成されていた。
【０００５】
しかしながら、上記従来の構成では、ある所定のしきい値とパワーＡＭＰ１１５の出力とを比較してＤＣオフセットを検出しているため、再生時等の動作状態における誤検出が頻繁に生じるという問題が存在した。
【０００６】
このような問題を解決する方法としては、パワーＡＭＰ１１５の出力をフィードバックしてしきい値を制御する方法等が存在する（例えば特許文献１又は２参照）。
【０００７】
【特許文献１】
特開平１０−９３６４７号公報
【特許文献２】
特表２００１−５１６９８２号公報
【０００８】
【発明が解決しようとする課題】
しかしながら、上記した従来技術では、パワーＡＭＰ１１５の出力をフィードバックしてしきい値を制御するための構成がハードウェアにより実現されていたため、装置全体が大型化し、且つ高価となってしまうという問題が存在する。
【０００９】
そこで本発明は、動作状態でもＤＣオフセットの誤検出が回避でき、スピーカの発煙や発火等の故障を回避できる、簡素な構成で安価な音響機器、オフセット電圧検出方法、そのプログラム及びそのプログラムを記録した記録媒体を提供することを目的とする。
【００１０】
【課題を解決するための手段】
かかる目的を達成するために、本発明は、設定されたボリューム値に基づいて調整されたアナログ信号を増幅してスピーカへ入力する増幅器を有する音響機器において、前記増幅器内部で処理されているバイアス信号の電位差と予め設定されている第１のしきい値とを比較する第１の比較手段と、前記アナログ信号の電圧レベルを検出するレベル検出手段と、前記第１の比較手段の比較の結果に基づいて状態が切り換えられたオフセット検出信号を出力するオフセット検出信号出力手段と、前記オフセット検出信号出力手段から出力された前記オフセット検出信号を平滑化する平滑化手段と、前記平滑化手段で平滑化された前記オフセット検出信号の電圧値と、前記レベル検出手段で検出された電圧レベル又は前記ボリューム値に予め対応づけられた第２のしきい値とを比較する第２の比較手段と、前記第２の比較手段の比較の結果、前記平滑化されたオフセット検出信号の電圧値が前記第２のしきい値以上である場合、前記増幅器を停止状態とする増幅器停止手段とを有するように構成される。増幅器内部で処理されているバイアス信号の電位差に対する基準とされた第１のしきい値は固定された値である。このため、バイアス信号の電位差と第１のしきい値との比較結果は、設定されたボリューム値やアナログ信号の振幅の激しさに強く依存する。これに伴い、オフセット検出信号の遷移状態も変貌する。例えば、バイアス信号の電位差が第１のしきい値より高い場合、低レベルのオフセット検出信号が出力される場合、ボリュームが大きく、振幅の激しい音楽である程、低レベルのオフセット検出信号が出力される確率が高い。このため、第２のしきい値と比較される平滑化後のオフセット検出信号の電圧値も低くなり、誤ってオフセット電圧が検出され、誤動作してしまう。そこで、増幅器に入力するアナログ信号の電圧レベル又は設定されたボリューム値に基づいて第２のしきい値を変更するように構成する。これにより、ボリューム値やアナログ信号における振幅の激しさに応じて第２のしきい値が変更されるため、動作状態でも的確にオフセット電圧の有無を検出でき、スピーカの発煙や発火等の故障を回避できる。また、例えば第２のしきい値と電圧レベル又はボリューム値との対応付けを予め所定のメモリに格納しておくことで、状況に応じた第２のしきい値を容易に特定できるように構成できる。
【００１１】
また、上記の第２のしきい値は、好ましくは前記電圧レベル又はボリューム値の増加につれて減少するように構成される。これにより、電圧レベル又はボリューム値の増加に伴い平滑化後のオフセット検出信号の電圧レベルが低下する場合でも、的確な第２のしきい値を容易に設定することが可能となる。
【００１２】
また、上記の増幅器停止手段は、好ましくは前記第２の比較手段の比較の結果、前記平滑化されたオフセット検出信号の電圧値が前記第２のしきい値以上である状態が所定時間以上継続した場合、前記増幅器を停止状態とするように構成される。これにより、より確実に誤検出による増幅器の停止を防止することが可能となる。
【００１３】
また、上記の増幅器は、例えばパワーアンプで構成されてもよい。
【００１４】
また、上記の平滑化手段は、例えばローパスフィルタで構成されてもよい。
【００１５】
また、上記の音響機器は、例えば前記電圧レベル又は前記ボリューム値と前記第２のしきい値とを対応づけたルックアップテーブルを有し、前記第２の比較手段は前記電圧レベル又は前記ボリューム値に基づいて前記ルックアップテーブルを参照することで前記第２のしきい値を特定するように構成されてもよい。
【００１６】
また、本発明は、設定されたボリューム値に基づいて調整されたアナログ信号を増幅してスピーカへ入力する増幅器内部で処理しているバイアス信号の電位差と予め設定されている第１のしきい値との比較の結果に基づいて状態を切り換えたオフセット検出信号を出力する増幅器内部におけるオフセット電圧を検出するためのオフセット電圧検出方法において、前記増幅器に入力されるアナログ信号の電圧レベル又は前記ボリューム値に基づいて所定のルックアップテーブルに対応づけられた第２のしきい値を読み出す第２のしきい値読出ステップと、所定の時定数で平滑化された前記オフセット検出信号の電圧値と前記第２しきい値読出ステップで読み出した前記第２のしきい値とを比較する比較ステップと、平滑化された前記オフセット検出信号の電圧値が前記第２のしきい値以上である場合、前記増幅器を停止状態とする増幅器停止ステップとを有するように構成される。増幅器内部で処理されているバイアス信号の電位差に対する基準とされた第１のしきい値は固定された値である。このため、バイアス信号の電位差と第１のしきい値との比較結果は、設定されたボリューム値やアナログ信号の振幅の激しさに強く依存する。これに伴い、オフセット検出信号の遷移状態も変貌する。例えば、バイアス信号の電位差が第１のしきい値より高い場合、低レベルのオフセット検出信号が出力される場合、ボリュームが大きく、振幅の激しい音楽である程、低レベルのオフセット検出信号が出力される確率が高い。このため、第２のしきい値と比較される平滑化後のオフセット検出信号の電圧値も低くなり、誤ってオフセット電圧が検出され、誤動作してしまう。そこで、増幅器に入力するアナログ信号の電圧レベル又はボリューム値に基づいて第２のしきい値を変更するように構成する。これにより、ボリューム値やアナログ信号における振幅の激しさに応じて第２のしきい値が変更されるため、動作状態でも的確にオフセット電圧の有無を検出でき、スピーカの発煙や発火等の故障を回避できる。また、例えば第２のしきい値と電圧レベル又はボリューム値との対応付けを予め所定のメモリに格納しておくことで、状況に応じた第２のしきい値を容易に特定できるように構成できる。
【００１７】
また、上記の増幅器停止ステップは、好ましくは前記比較ステップの比較の結果、前記平滑化されたオフセット検出信号の電圧値が前記第２のしきい値以上である状態が所定時間以上継続した場合、前記増幅器を停止状態とするように構成される。これにより、より確実に誤検出による増幅器の停止を防止することが可能となる。
【００１８】
また、上記の前記第２のしきい値は、好ましくは前記電圧レベル又は前記ボリューム値の増加につれて減少するように構成される。これにより、電圧レベル又はボリューム値の増加に伴い平滑化後のオフセット検出信号の電圧レベルが低下する場合でも、的確な第２のしきい値を容易に設定することが可能となる。
【００１９】
また、本発明は、設定されたボリューム値に基づいて調整されたアナログ信号を増幅してスピーカへ入力する増幅器内部で処理しているバイアス信号の電位差と予め設定されている第１のしきい値との比較の結果に基づいて状態を切り換えたオフセット検出信号を出力する増幅器内部におけるオフセット電圧を検出するためのコンピュータを機能させるためのプログラムであって、前記増幅器に入力されるアナログ信号の電圧レベル又は前記ボリューム値に基づいて所定のルックアップテーブルに対応づけられた第２のしきい値を読み出す第２のしきい値読出処理と、所定の時定数で平滑化された前記オフセット検出信号の電圧値と前記第２しきい値読出ステップで読み出した前記第２のしきい値とを比較する比較処理と、平滑化された前記オフセット検出信号の電圧値が前記第２のしきい値以上である場合、前記増幅器を停止状態とするための命令信号を出力する停止命令信号出力処理とを前記コンピュータに実行させる。増幅器内部で処理されているバイアス信号の電位差に対する基準とされた第１のしきい値は固定された値である。このため、バイアス信号の電位差と第１のしきい値との比較結果は、設定されたボリューム値やアナログ信号の振幅の激しさに強く依存する。これに伴い、オフセット検出信号の遷移状態も変貌する。例えば、バイアス信号の電位差が第１のしきい値より高い場合、低レベルのオフセット検出信号が出力される場合、ボリュームが大きく、振幅の激しい音楽である程、低レベルのオフセット検出信号が出力される確率が高い。このため、第２のしきい値と比較される平滑化後のオフセット検出信号の電圧値も低くなり、誤ってオフセット電圧が検出され、誤動作してしまう。そこで、増幅器に入力するアナログ信号の電圧レベル又はボリューム値に基づいて第２のしきい値を変更するように構成する。これにより、ボリューム値やアナログ信号における振幅の激しさに応じて第２のしきい値が変更されるため、動作状態でも的確にオフセット電圧の有無を検出でき、スピーカの発煙や発火等の故障を回避できるオフセット検出方法をプログラムを用いて実現できる。また、例えば第２のしきい値と電圧レベル又はボリューム値との対応付けを予め所定のメモリに格納しておくことで、状況に応じた第２のしきい値を容易に特定できるように構成できる。
【００２０】
また、上記の前記停止命令信号出力処理は、好ましくは前記比較処理の比較の結果、前記平滑化されたオフセット検出信号の電圧値が前記第２のしきい値以上である状態が所定時間以上継続した場合、前記増幅器を停止状態とするように構成される。これにより、より確実に誤検出による増幅器の停止を防止することが可能となる。
【００２１】
また、本発明は、上記のプログラムを記録媒体に記録して提供する。これにより、上記のような効果を実現できるプログラムを記録媒体を用いて広く頒布することが可能となる。
【００２２】
【発明の実施の形態】
以下、本発明の好適な実施形態について図面を用いて詳細に説明する。
【００２３】
〔第１の実施形態〕
まず、本発明の第１の実施形態について、図面を用いて詳細に説明する。図２は本実施形態による音響機器１０の構成を示すブロック図である。図２に示すように、音響機器１０は、フロントパネル１１とマイコン１２と読取部１３と信号処理部１４とパワーＡＭＰ１５とスピーカ１６とＬＰＦ１７とルックアップテーブル１８とレベル検出部１９とを有して構成されている。
【００２４】
この構成において、読取部１３は、ＣＤ（コンパクトディスク）やＤＶＤ（Ｄｉｇｉｔａｌ  Ｖｅｒｓａｔｉｌｅ  Ｄｉｓｃ）やカセットテープやレコード等のドライブであり、各記録媒体から音楽データを読み取る。この際の音楽データはディジタルであってもアナログであっても構わない。信号処理部１４は、電子ボリュームやＤＳＰ（Ｄｉｇｉｔａｌ  Ｓｉｇｎａｌ  Ｐｒｏｃｅｓｓｏｒ）等で構成され、読取部１３で読み取られた音楽データの信号処理を行い、これを設定されたボリューム値に基づいて振幅変調されたアナログ信号として出力するための回路である。パワーＡＭＰ１５は信号処理部１４から入力された信号処理されたアナログ信号を増幅し、これをスピーカ１６入力することでスピーカ１６を駆動するための回路である。このパワーＡＭＰ１５は１つのＩＣチップで構成される。尚、信号処理部１４とパワーＡＭＰ１５との間にはカップリングコンデンサＣ１が挿入される。更に、信号処理部１４とパワーＡＭＰ１５との間には、レベル検出部１９が設けられる。レベル検出部１９は通常ＤＳＰで構成された信号処理部１４内部に設けられた機能であり、信号処理部１４から出力されるアナログ信号、換言すればパワーＡＭＰ１５に入力するアナログ信号の電圧レベルを検出して、これをマイコン１２に入力する。
【００２５】
マイコン１２のＡ／Ｄ変換ポートには、パワーＡＭＰ１５内部で処理されているアナログ信号の電圧値を監視するためのオフセット検出信号が入力される。即ち、パワーＡＭＰ１５は、自己の内部で処理しているアナログ信号の電圧値を監視させるためのオフセット検出信号を出力するオフセット検出信号出力手段を有している。但し、本実施形態においてオフセット検出信号は、ＬＰＦ（ローパスフィルタ）１７を介して平滑化された後に、ＬＰＦ出力信号としてマイコン１２に入力される。
【００２６】
また、マイコン１２には、上述のようにレベル検出部１９で検出されたアナログ信号の電圧レベルも入力される。マイコン１２は、入力されたアナログ信号の電圧レベルに基づいて、自己の内部に搭載されたメモリに格納されているルックアップテーブル１８を内部バスを介して参照する。このルックアップテーブル１８には、図３に例示するような、アナログ信号の電圧レベル毎に対するしきい値（これを第２のしきい値とする）が格納されている。即ち、マイコン１２は、パワーＡＭＰ１５に入力されるアナログ信号の電圧レベルに基づいてルックアップテーブル１８を参照し、対応する第２のしきい値とＬＰＦ出力信号とを比較する。
【００２７】
尚、オフセット検出信号は、パワーＡＭＰ１５の内部で処理されているバイアス信号の２つの信号間における電位差と、予めパワーＡＭＰ１５に設定されているしきい値（これを第１のしきい値とする）との比較の結果に基づいて状態が切り換えられて出力される。即ち、パワーＡＭＰ１５は、電位差が第１のしきい値よりも低い値の場合、例えば高レベル（‘Ｈｉｇｈ’）のオフセット検出信号を出力し、電位差が第２のしきい値以上である場合、例えば低レベル（‘Ｌｏｗ’）のオフセット検出信号を出力する。但し、第１のしきい値は固定された値である。このため、バイアス信号の電位差と第１のしきい値との比較結果は、設定されたボリューム値やアナログ信号の振幅の激しさに強く依存する。これに伴い、オフセット検出信号の遷移状態も変貌する。即ち、ボリュームが大きく、振幅の激しい音楽である程、低レベルのオフセット検出信号が出力される確率が高い。これに対応して、ＬＰＦ１７から出力されるＬＰＦ出力信号の電圧値も低くなる。そこで、本実施形態では、上述のように、ＬＰＦ出力信号の比較対象である第２のしきい値の値を、バイアス信号の電圧レベルに基づいてルックアップテーブル１８から読み出した第２のしきい値に変更する。これにより、ボリューム値やアナログ信号における振幅の激しさに応じて第２のしきい値が変更される。
【００２８】
また、ＬＰＦ出力信号と第２のしきい値との比較の結果、アナログ信号にＤＣオフセットが重畳されている（換言すれば、バイアス信号にオフセット電圧が重畳されている）と検出された場合、マイコン１２はパワーＡＭＰ１５へスタンバイ処理信号を入力し、パワーＡＭＰ１５をスタンバイ状態（停止状態）とすることで、スピーカ１６に常時ＤＣオフセット電圧が印加されることを防止する。このように、本実施形態では、ボリューム値やアナログ信号における振幅の激しさに応じて第２のしきい値を変更するため、動作状態でも的確にオフセット電圧の有無を検出でき、スピーカの発煙や発火等の故障を回避できる。
【００２９】
ここで、図４及び図５を用いてパワーＡＭＰ１５へ入力するアナログ信号の電圧レベルと、各部の波形との関係を説明する。尚、図４は、パワーＡＭＰ１５内部でのバイアス信号の電位差が第１のしきい値を超えない場合の例を説明するための図であり、図５は、パワーＡＭＰ１５内部でのバイアス信号の電位差が第１のしきい値を超える場合の例を説明するための図である。
【００３０】
まず、図４（ａ）に示すように、信号処理部１４からパワーＡＭＰ１５に入力されるアナログ信号の振幅（電圧値）が十分に小さい場合、図４（ｂ）に示すように、パワーＡＭＰ１５内部でのバイアス信号の電位差がパワーＡＭＰ１５に設定されている第１のしきい値を超えないため、パワーＡＭＰ１５から出力されるオフセット検出信号の電圧値は、図４（ｃ）に示すように、高レベル（‘Ｈｉｇｈ’）を保持している。このため、ＬＰＦ１７から出力されるＬＰＦ出力信号の電圧値も、図４（ｄ）に示すように‘Ｈｉｇｈ’レベルとなる。これに対し、図５（ａ）に示すように、信号処理部１４からパワーＡＭＰ１５に入力されるアナログ信号の振幅（電圧値）が十分に大きい場合、図５（ｂ）に示すように、パワーＡＭＰ１５内部でのバイアス信号の電位差が第１のしきい値を超える現象が発生する。従って、パワーＡＭＰ１５は、電位差が第１のしきい値を超えている期間、オフセット検出信号の電圧値を、図５（ｃ）に示すように、低レベル（‘Ｌｏｗ’）とする。従って、ＬＰＦ１７から出力されるＬＰＦ出力信号の電圧値が通常動作状態時のレベル（‘Ｈｉｇｈ’）よりも低減してしまう。本実施形態は、このような現象が生じた場合でも誤検出することを防止するために、パワーＡＭＰ１５に入力されるアナログ信号の電圧レベルに依存してマイコン１２に設定する第２のしきい値を変更するように構成されている。
【００３１】
ここで、アナログ信号の電圧レベルが増加する要因の１つであるボリューム値の増加に伴う、オフセット検出信号の電圧値，ＬＰＦ出力信号の電圧値及びスピーカ１６に入力されるアナログ信号の電圧値の振る舞いを図６に示す。尚、図６では、パワーＡＭＰ１５内部に設定された第１のしきい値を３．２Ｖととし、ＬＰＦ１７の時定数（フィルタ定数）を０．２２ｓとした場合の例である。図６を参照すると明らかなように、ボリューム値の増加に従ってオフセット検出信号の電圧値及びＬＰＦ出力信号の電圧値が減少している。但し、スピーカ１６へ入力されるアナログ信号の電圧値はボリューム値の増加に伴い増加している。このような現象に対応するために、本実施形態では図３に示すルックアップテーブル１８を用いて電圧レベルに応じてマイコン１２に設定するしきい値を変化させるのである。
【００３２】
次に、本実施形態によるマイコン１２の動作を、図面を用いて詳細に説明する。図７は、マイコン１２の動作を示すフローチャートである。但し、以下の動作では、オフセット検出信号（ＬＰＦ出力信号）が第２のしきい値以下となったことが３回判定された際に、パワーＡＭＰ１５をスタンバイ状態とする場合の例を挙げて説明する。
【００３３】
図７において、まず、マイコン１２は、Ｎに０を設定する（ステップＳ１０１）。また、マイコン１２のＡ／Ｄ変換ポートにはＬＰＦ１７を介して平滑化されたオフセット検出信号、即ちＬＰＦ出力信号が常時入力されている（ステップＳ１０２）。更に同様に、マイコン１２にはレベル検出信号１９で検出されたアナログ信号の電圧レベルが常時入力されている（ステップＳ１０３）。このように、ＬＰＦ出力信号と電圧レベルとが入力されている状況の下、マイコン１２は所定のタイミングで現在入力されている電圧レベルに基づいてルックアップテーブル１８から対応する第２のしきい値を読み出し（ステップＳ１０４）、この第２のしきい値とＬＰＦ出力信号の電圧値とを比較する（オフセット検出信号比較手段：ステップＳ１０５）。この比較の結果、ＬＰＦ出力信号の電圧値がしきい値よりも高い場合（ステップＳ１０６のＹｅｓ）、マイコン１２はステップＳ１０２に帰還する。また、ステップＳ１０５の比較の結果、ＬＰＦ出力信号の電圧値がしきい値以下である場合（ステップＳ１０６のＮｏ）、マイコン１２はＮを１インクリメントし（ステップＳ１０７）、インクリメント後のＮの値が所定回数（ここでは３）以上であるか否かを判定する（ステップＳ１０８）。これにより、予め設定されている所定時間以上、ＬＰＦ出力信号≦しきい値の状態が継続しているか否かが判定される。ステップＳ１０８の判定の結果、Ｎ≧３である場合（ステップＳ１０８のＹｅｓ）、マイコン１２はパワーＡＭＰ１５にスタンバイ処理信号を入力してこれをスタンバイ状態とする（増幅器停止手段：ステップＳ１０９）。また、ステップＳ１０８の判定の結果、Ｎ＜３である場合（ステップＳ１０８のＮｏ）、マイコン１２はステップＳ１０１に帰還し、所定のタイミングで同様の処理を繰り返す。但し、次回の開始までにある程度、例えば３秒間のインターバルを持たせるとよい。
【００３４】
このような動作（及び手段）は、例えば音響機器１０内部に設けられたＲＯＭ（Ｒｅａｄ  Ｏｎｌｙ  Ｍｅｍｏｒｙ）又はハードディスク等の記憶装置に記録されたプログラムをマイコン１２が読み出し、実行することで実現されるものである。但し、このプログラムをＣＤ−ＲＯＭやＤＶＤ−ＲＯＭ等のリムーバブルな記録媒体に記録し、これを音響機器１０にインストールすることで、マイコン１２を上記のように動作させることも可能である。
【００３５】
以上のように、パワーＡＭＰ１５に入力される電圧レベルに応じて第２のしきい値を変更し、所定時間以上、オフセット検出信号の電圧値が第２のしきい値以下である場合、パワーＡＭＰ１５内部でのアナログ信号にＤＣオフセット電圧が重畳されていると判断し、パワーＡＭＰ１５をスタンバイ状態とすることで、ＤＣオフセット電圧の誤検出を回避しつつ、スピーカ１６が発煙や発火等の故障を起こすことを防止することが可能となる。
【００３６】
〔第２の実施形態〕
また、上記した第１の実施形態では、パワーＡＭＰ１５に入力されるアナログ信号の電圧レベルに基づいて第２のしきい値を変更するように構成した場合についての例であった。これに対し、本実施形態では、アナログ信号の電圧レベルの代わりにコントロールパネル１１を用いてユーザから設定されたボリューム値に基づいて第２のしきい値を変更するように構成した場合を例に挙げて説明する。
【００３７】
図８は、本実施形態による音響機器２０の構成を示すブロック図である。図８に示すように、音響機器２０は、第１の実施形態による音響機器１０と比較してレベル検出部１９が削除された構成を有している。即ち、本実施形態では、パワーＡＭＰ１５に入力されるアナログ信号の電圧レベルを検出する必要が無いため、このための構成を省略することができる。尚、他の構成は第１の実施形態と同様であるため、同一の符号を付し、説明を省略する。
【００３８】
また、本実施形態による音響機器２０におけるマイコン１２の動作を図９のフローチャートを用いて詳細に説明する。図９に示すように、本実施形態における動作は、第１の実施形態における動作（図７参照）と比較して、ステップＳ１０３及びステップＳ１０４が、ステップＳ１０３ａ及びステップＳ１０４ａに置き換えられている。即ち、本実施形態では、アナログ信号の電圧レベルの代わりに、コントロールパネル１１から設定されたボリューム値を特定し（ステップＳ１０３ａ）、これに基づいてルックアップテーブル１８から第２のしきい値を特定する（ステップＳ１０４ａ）。尚、他の動作は、第１の実施形態と同様であるため、ここでは説明を省略する。
【００３９】
このように、本発明は、設定されているボリューム値に基づいて第２のしきい値を変更するようにも構成でき、これにより第１の実施形態と同様の効果を得ることができる。
【００４０】
尚、以上で説明した実施形態は本発明の好適な一実施形態にすぎず、本発明はその趣旨を逸脱しない限り種々変形して実施可能である。
【００４１】
【発明の効果】
以上説明したように、動作状態でもＤＣオフセットの誤検出が回避でき、スピーカの発煙や発火等の故障を回避できる、簡素な構成で安価な音響機器、オフセット電圧検出方法、そのプログラム及びそのプログラムを記録した記録媒体が実現される。
【図面の簡単な説明】
【図１】従来技術による音響機器の概略構成を示すブロック図である。
【図２】本発明の第１の実施形態による音響機器１０の構成を示すブロック図である。
【図３】本発明の第１の実施形態によるルックアップテーブル１８のデータ構成を示すテーブルである。
【図４】本発明の第１の実施形態においてパワーＡＭＰ１５へ入力するアナログ信号の電圧レベルと各部の波形との関係を説明するための図であり、特にパワーＡＭＰ１５内部でのバイアス信号の電位差が第１のしきい値を超えない場合の例を説明するための図である。
【図５】本発明の第１の実施形態においてパワーＡＭＰ１５へ入力するアナログ信号の電圧レベルと各部の波形との関係を説明するための図であり、特にパワーＡＭＰ１５内部でのバイアス信号の電位差が第１のしきい値を超える場合の例を説明するための図である。
【図６】本発明の第１の実施形態におけるボリューム値の増加に伴うオフセット検出信号の電圧値，ＬＰＦ出力信号の電圧値及びスピーカ１６に入力されるアナログ信号の電圧値の振る舞いを示すグラフである。
【図７】本発明の第１の実施形態によるマイコン１２の動作を示すフローチャートである。
【図８】本発明の第２の実施形態による音響機器２０の構成を示すブロック図である。
【図９】本発明の第２の実施形態によるマイコン１２の動作を示すフローチャートである。
【符号の説明】
１０  音響機器
１１  フロントパネル
１２  マイコン
１３  読取部
１４  信号処理部
１５  パワーＡＭＰ
１６  スピーカ
１７  ＬＰＦ
１８  ルックアップテーブル
【図１】
2004320273.tif 000003
【図２】
2004320273.tif 000004
【図３】
2004320273.tif 000005
【図４】
2004320273.tif 000006
【図５】
2004320273.tif 000007
【図６】
2004320273.tif 000008
【図７】
2004320273.tif 000009
【図８】
2004320273.tif 000010
【図９】
2004320273.tif 000011